(57)【要約】  外部メモリを着脱可能な電子装置は、外部メモリとして認証を行う第１の認証情報を記憶した外部メモリが取付けられるとともに、入力部が外部から第２の認証情報および日時を示す日時情報の入力を受付けると、外部メモリから第１の認証情報を読出して入力された第２の認証情報と比較し、これらが一致した場合には、日時情報を、記憶部および外部メモリへ保証期間の開始日を示す情報として書込む。
2010097886.tif 000002
【特許請求の範囲】
【請求項１】
外部メモリを着脱可能な電子装置であって、
記憶部と、
入力部と、
前記外部メモリとして認証を行う第１の認証情報を記憶した外部メモリが取付けられるとともに、前記入力部が外部から第２の認証情報および日時を示す日時情報の入力を受付けると、前記外部メモリから前記第１の認証情報を読出して入力された前記第２の認証情報と比較し、これらが一致した場合には、前記日時情報を、前記記憶部および前記外部メモリへ保証期間の開始日を示す情報として書込む比較書込部と、
を有する電子装置。
【請求項２】
外部メモリを着脱可能な電子装置であって、
記憶部と、
入力部と、
日時を示す日時情報を出力する日時時計部と、
前記外部メモリとして認証を行う第１の認証情報を記憶した外部メモリが取付けられるとともに、前記入力部が外部から第２の認証情報を受付けると、前記外部メモリから前記第１の認証情報を読出して入力された前記第２の認証情報と比較し、これらが一致した場合には、前記日時時計部が出力する日時情報を、保証期間の開始日を示す情報として前記記憶部および前記外部メモリへ書込む比較書込部と、
を有する電子装置。
【請求項３】
請求項１または２記載の電子装置において、
前記記憶部に書込まれた日時の表示を要求する旨を示す情報の入力を前記入力部が受付けた場合、該日時を表示する表示部を有することを特徴とする電子装置。
【請求項４】
請求項１乃至３のいずれか１項に記載の電子装置において、
前記比較書込部が前記外部メモリから読出した第１の認証情報が公開鍵で暗号化されている場合、前記公開鍵を用いて暗号化されたデータの復号化に用いる前記記憶部が記憶している秘密鍵を用いて第１の認証情報を復号化する復号化部を有し、
前記比較書込部は、前記復号化部が復号化した第１の認証情報と前記第２の認証情報とを比較し、これらが一致した場合には、日時情報を、前記記憶部および前記外部メモリへ保証期間の開始日を示す情報として書込むことを特徴とする電子装置。
【請求項５】
請求項１乃至４のいずれか１項に記載の電子装置において、
前記外部メモリとして前記第１の認証情報および当該電子装置の製造業者を識別するための識別子を記憶した外部メモリが取付けられると、該外部メモリから該識別子を読出して前記記憶部に記憶されている識別子と比較する識別子比較部を有し、
前記比較書込部は、前記識別子比較部による比較の結果、前記外部メモリから読出した識別子と前記記憶部に記憶されている識別子とが一致した場合、前記第１の認証情報と前記第２の認証情報とを比較することを特徴とする電子装置。
【請求項６】
請求項１乃至５のいずれか１項に記載の電子装置において、
前記外部メモリとして前記日時情報を暗号化するための日時暗号鍵を記憶した外部メモリが取付けられると、該外部メモリから該日時暗号鍵を読出して該日時情報を暗号化する日時暗号化部を有し、
前記比較書込部は、前記日時暗号化部が暗号化した日時情報を前記記憶部と前記外部メモリとへ書込むことを特徴とする電子装置。
【請求項７】
請求項１乃至６のいずれか１項に記載の電子装置において、
ネットワークを介して所定のデータベースと通信可能な通信部を有し、
前記比較書込部は、前記第１の認証情報と前記第２の認証情報とが一致した場合、前記通信部を用いて前記日時情報を前記データベースへ送信することを特徴とする電子装置。
【請求項８】
外部メモリを着脱可能な電子装置と、前記外部メモリとに日時を登録する登録方法であって、
前記外部メモリとして認証を行う第１の認証情報を記憶した外部メモリが取付けられるとともに、第２の認証情報および日時を示す日時情報が外部から入力されると、前記外部メモリから前記第１の認証情報を読出して入力された前記第２の認証情報と比較し、これらが一致した場合には、前記日時情報を、前記記憶部および前記外部メモリへ保証期間の開始日を示す情報として書込む比較書込処理を有する登録方法。
【請求項９】
外部メモリを着脱可能な電子装置と、前記外部メモリとに日時を登録する登録方法であって、
日時を示す日時情報を出力する日時時計処理と、
前記外部メモリとして認証を行う第１の認証情報を記憶した外部メモリが取付けられるとともに、第２の認証情報が外部から入力されると、前記外部メモリから前記第１の認証情報を読出して入力された前記第２の認証情報と比較し、これらが一致した場合には、前記日時時計処理にて出力する日時情報を、保証期間の開始日を示す情報として前記記憶部および前記外部メモリへ書込む比較書込処理と、を有する登録方法。
【請求項１０】
請求項８または９記載の登録方法において、
前記記憶部に書込まれた日時の表示を要求する旨を示す情報が外部から入力された場合、該日時を表示部に表示する表示処理を有することを特徴とする登録方法。
【請求項１１】
請求項８乃至１０のいずれか１項に記載の登録方法において、
前記比較書込処理にて前記外部メモリから読出した第１の認証情報が公開鍵で暗号化されている場合、前記公開鍵を用いて暗号化されたデータの復号化に用いる前記記憶部が記憶している秘密鍵を用いて第１の認証情報を復号化する復号化処理を有し、
前記比較書込処理では、前記復号化処理にて復号化した第１の認証情報と前記第２の認証情報とを比較し、これらが一致した場合には、日時情報を、前記記憶部および前記外部メモリへ保証期間の開始日を示す情報として書込むことを特徴とする登録方法。
【請求項１２】
請求項８乃至１１のいずれか１項に記載の登録方法において、
前記外部メモリとして前記第１の認証情報および当該電子装置の製造業者を識別するための識別子を記憶した外部メモリが取付けられると、該外部メモリから該識別子を読出して前記記憶部に記憶されている識別子と比較する識別子比較処理を有し、
前記比較書込処理では、前記識別子比較処理における比較の結果、前記外部メモリから読出した識別子と前記記憶部に記憶されている識別子とが一致した場合、前記第１の認証情報と前記第２の認証情報とを比較することを特徴とする登録方法。
【請求項１３】
請求項８乃至１２のいずれか１項に記載の登録方法において、
前記外部メモリとして前記日時情報を暗号化するための日時暗号鍵を記憶した外部メモリが取付けられると、該外部メモリから該日時暗号鍵を読出して該日時情報を暗号化する日時暗号化処理を有し、
前記比較書込処理では、前記日時暗号化処理にて暗号化した日時情報を前記記憶部と前記外部メモリとへ書込むことを特徴とする登録方法。
【請求項１４】
請求項８乃至１３のいずれか１項に記載の登録方法において、
前記比較書込処理では、前記第１の認証情報と前記第２の認証情報とが一致した場合、通信部を用いて前記日時情報をネットワークを介して所定のデータベースへ送信することを特徴とする登録方法。
【請求項１５】
外部メモリを着脱可能で、記憶部を有する電子装置に、
前記外部メモリとして認証を行う第１の認証情報を記憶した外部メモリが取付けられるとともに、第２の認証情報および日時を示す日時情報が外部から入力されると、前記外部メモリから前記第１の認証情報を読出して入力された前記第２の認証情報と比較する比較手順と、
前記比較手順における比較の結果、これらが一致した場合には、前記日時情報を、前記記憶部および前記外部メモリへ保証期間の開始日を示す情報として書込む書込手順とを実行させるプログラム。
【請求項１６】
外部メモリを着脱可能で、記憶部を有する電子装置に、
日時を示す日時情報を出力する日時時計手順と、
前記外部メモリとして認証を行う第１の認証情報を記憶した外部メモリが取付けられるとともに、第２の認証情報が外部から入力されると、前記外部メモリから前記第１の認証情報を読出して入力された前記第２の認証情報と比較する比較手順と、
前記比較手順における比較の結果、これらが一致した場合には、前記日時時計手順にて出力する日時情報を、保証期間の開始日を示す情報として前記記憶部および前記外部メモリへ書込む書込手順と、を実行させるプログラム。
【請求項１７】
請求項１５または１６記載のプログラムにおいて、
前記記憶部に書込まれた日時の表示を要求する旨を示す情報が外部から入力された場合、該日時を表示部に表示する表示手順を前記電子装置にさらに実行させることを特徴とするプログラム。
【請求項１８】
請求項１５乃至１７のいずれか１項に記載のプログラムにおいて、
前記比較手順にて前記外部メモリから読出した第１の認証情報が公開鍵で暗号化されている場合、前記公開鍵を用いて暗号化されたデータの復号化に用いる前記記憶部が記憶している秘密鍵を用いて第１の認証情報を復号化する復号化手順を前記電子装置にさらに実行させ、
前記比較手順では、前記復号化手順にて復号化した第１の認証情報と前記第２の認証情報とを比較し、
前記書込手順では、これらが一致した場合には、日時情報を、前記記憶部および前記外部メモリへ保証期間の開始日を示す情報として書込むことを特徴とするプログラム。
【請求項１９】
請求項１５乃至１８のいずれか１項に記載のプログラムにおいて、
前記外部メモリとして前記第１の認証情報および当該電子装置の製造業者を識別するための識別子を記憶した外部メモリが取付けられると、該外部メモリから該識別子を読出して前記記憶部に記憶されている識別子と比較する識別子比較手順を前記電子装置にさらに実行させ、
前記比較手順では、前記識別子比較手順における比較の結果、前記外部メモリから読出した識別子と前記記憶部に記憶されている識別子とが一致した場合、前記第１の認証情報と前記第２の認証情報とを比較することを特徴とするプログラム。
【請求項２０】
請求項１５乃至１９のいずれか１項に記載のプログラムにおいて、
前記外部メモリとして前記日時情報を暗号化するための日時暗号鍵を記憶した外部メモリが取付けられると、該外部メモリから該日時暗号鍵を読出して該日時情報を暗号化する日時暗号化手順を前記電子装置に実行させ、
前記書込手順では、前記日時暗号化手順にて暗号化した日時情報を前記記憶部と前記外部メモリとへ書込むことを特徴とするプログラム。
【請求項２１】
請求項１５乃至２０のいずれか１項に記載のプログラムにおいて、
前記書込手順では、前記第１の認証情報と前記第２の認証情報とが一致した場合、通信部を用いて前記日時情報をネットワークを介して所定のデータベースへ送信することを特徴とするプログラム。
【発明の詳細な説明】
【技術分野】
【０００１】
本発明は、電子装置、登録方法およびプログラムに関する。
【背景技術】
【０００２】
利用者が購入した電子装置（例えば、大型のプロジェクタなど）に対して、所定の日（例えば、当該電子装置の購入日や設置日）を開始日とする所定の期間を無償保証期間とし、該電子装置の修理や検査などを無償で行う保証サービスの提供が広く行われている。【０００３】
上述した期間の開始日が正確に特定できない場合、利用者は当該保証サービスを受けることができなくなってしまうおそれがある。そのため、電子装置を製造した製造業者、該電子装置を利用者に販売した販売業者および利用者は、開始日をそれぞれ管理しておく必要がある。【０００４】
無償保証期間の開始日を管理する方法の１つとして、その開始日を人手により保証書などの紙に記入して管理する方法がある。【０００５】
しかしながら、紙による管理方法では、開始日が記入された紙を紛失してしまった場合、正確な開始日を特定することができない。そのため、無償保証期間内であるにも関わらず、利用者は、本来提供されるべき保証サービスを受けることができなくなってしまうおそれがある。【０００６】
そこで、紙による管理方法に代えて、通信を用いて所定のマシンへ開始日を登録して管理する方法が考えられている。【０００７】
例えば、特開２００４−３６２３０１号公報に開示されている技術では、利用者が電子装置を購入した場合、販売業者は、当該電子装置に取付けられている通信モジュールの記憶部へ販売日時を記憶させる入力を行う。その後、当該通信モジュールは、電子装置に最初に電源が投入された際、販売日時を記憶部から読み出して、利用者が所有する携帯端末を介した通信により保証書発行センタのマシンへ送信する。そして、保証書発行センタのマシンは、該販売日時を無償保証期間の開始日として登録する。【０００８】
また、通信を用いて開始日を登録する方法としては、例えば、電子装置の設置を行った者が、任意の端末を操作して、ネットワークを介して製造業者が所有するデータベースに開始日を登録する方法も考えられている。【０００９】
しかしながら、特開２００４−３６２３０１号公報に開示されている技術においては、電子装置の設置場所で当該電子装置に取付けられた通信モジュールと保証書発行センタとが通信できない場合、開始日の登録を行うことができない。そのため、複数の当事者（例えば、製造業者および利用者）の間で開始日の管理を開始することができず、ひいては保証サービスの提供を開始することができないという問題点がある。【００１０】
また、利用者が購入した電子装置の設置作業は、当該利用者の敷地内などで行われることが多い。そのため、該敷地内などにおいて製造業者のデータベースへ接続する環境や手段がない場合には、開始日の登録を行うことができず、複数の当事者の間における開始日の管理や保証サービスの提供を開始することができないという問題が生じる。
【発明の開示】
【００１１】
本発明は、上述した課題を解決する電子装置、登録方法およびプログラムを提供することを目的とする。
【００１２】
上記課題を解決するために、本発明の電子装置は、外部メモリを着脱可能な電子装置であって、記憶部と、入力部と、前記外部メモリとして認証を行う第１の認証情報を記憶した外部メモリが取付けられるとともに、前記入力部が外部から第２の認証情報および日時を示す日時情報の入力を受付けると、前記外部メモリから前記第１の認証情報を読出して入力された前記第２の認証情報と比較し、これらが一致した場合には、前記日時情報を、前記記憶部および前記外部メモリへ保証期間の開始日を示す情報として書込む比較書込部と、有する。
【００１３】
上記課題を解決するために、本発明の登録方法は、外部メモリを着脱可能な電子装置と、前記外部メモリとに日時を登録する登録方法であって、前記外部メモリとして認証を行う第１の認証情報を記憶した外部メモリが取付けられるとともに、第２の認証情報および日時を示す日時情報が外部から入力されると、前記外部メモリから前記第１の認証情報を読出して入力された前記第２の認証情報と比較し、これらが一致した場合には、前記日時情報を、前記記憶部および前記外部メモリへ保証期間の開始日を示す情報として書込む比較書込処理を有する。
【００１４】
また、コンピュータに実行させるプログラムであって、外部メモリを着脱可能で、記憶部を有する電子装置に、前記外部メモリとして認証を行う第１の認証情報を記憶した外部メモリが取付けられるとともに、第２の認証情報および日時を示す日時情報が外部から入力されると、前記外部メモリから前記第１の認証情報を読出して入力された前記第２の認証情報と比較する比較手順と、前記比較手順における比較の結果、これらが一致した場合には、前記日時情報を、前記記憶部および前記外部メモリへ保証期間の開始日を示す情報として書込む書込手順とを実行させる。
【００１５】
本発明によれば、外部メモリを着脱可能な電子装置は、外部メモリとして認証を行う第１の認証情報を記憶した外部メモリが取付けられるとともに、第２の認証情報および日時を示す日時情報が外部から入力されると、外部メモリから第１の認証情報を読出して入力された第２の認証情報と比較し、これらが一致した場合には、日時情報を、記憶部および外部メモリへ保証期間の開始日を示す情報として書込む。
【００１６】
このような構成としたため、ネットワークを介した通信を用いることなしに無償保証期間の開始日を登録することができ、複数の当事者（例えば、製造業者と利用者）の間における当該開始日の管理を容易に開始することができる。
【図面の簡単な説明】
【００１７】
【図１】本発明の実施形態１に従ったプロジェクタの構成を示す図である。
【図２】事前設定の完了後における、ＵＳＢメモリの記憶状態を示す図である。
【図３】サービス期間登録用の操作メニュー画面の画面構成の第１の例を示す図である。
【図４】サービス期間登録用の操作メニュー画面の画面構成の第２の例を示す図である。
【図５】サービス期間登録用の操作メニュー画面の画面構成の第３の例を示す図である。
【図６】サービス期間登録用の操作メニュー画面の画面構成の第４の例を示す図である。
【図７】サービス期間表示用の操作メニュー画面の画面構成の一例を示す図である。
【図８】日時登録の完了後における、プロジェクタが具備する記憶部の記憶状態を示す図である。
【図９】日時登録の完了後における、ＵＳＢメモリの記憶状態を示す図である。
【図１０】事前設定の完了後における、プロジェクタが具備する記憶部の記憶状態を示す図である。
【図１１】実施形態１において、プロジェクタが、記憶部とＵＳＢメモリとへ開始日時を書込む際の動作を示すフローチャートである。
【図１２】本発明の実施形態２に従ったプロジェクタの構成を示す図である。
【図１３】実施形態２における、サービス期間登録用の操作メニュー画面の画面構成の第１の例を示す図である。
【図１４】実施形態２において、プロジェクタが、記憶部とＵＳＢメモリとへ開始日時を書込む際の動作を示すフローチャートである。
【図１５】実施形態３にて、事前設定の完了後における、プロジェクタが具備する記憶部の記憶状態を示す図である。
【図１６】実施形態３にて、事前設定の完了後における、ＵＳＢメモリの記憶状態を示す図である。
【図１７】本発明の実施形態３に従ったプロジェクタの構成を示す図である。
【図１８】実施形態３における、サービス期間登録用の操作メニュー画面の画面構成の第１の例を示す図である。
【図１９】実施形態３において、プロジェクタが、記憶部とＵＳＢメモリとへ開始日時を書込む際の動作を示すフローチャートである。
【図２０】実施形態４にて、事前設定の完了後における、プロジェクタが具備する記憶部の記憶状態を示す図である。
【図２１】実施形態４にて、事前設定の完了後における、ＵＳＢメモリの記憶状態を示す図である。
【図２２】本発明の実施形態４に従ったプロジェクタの構成を示す図である。
【図２３】実施形態４において、プロジェクタが、記憶部とＵＳＢメモリとへ開始日時を書込む際の動作を示すフローチャートである。
【図２４】実施形態５にて、事前設定の完了後における、ＵＳＢメモリの記憶状態を示す図である。
【図２５】本発明の実施形態５に従ったプロジェクタの構成を示す図である。
【図２６】実施形態５において、プロジェクタが、記憶部とＵＳＢメモリとへ開始日時を書込む際の動作を示すフローチャートである。
【図２７】本発明の実施形態６に従ったプロジェクタの構成を示す図である。
【図２８】実施形態６において、プロジェクタが、記憶部とＵＳＢメモリとへ開始日時を書込むとともに、該開始日時をデータベースへ送信する際の動作を示すフローチャートである。
【発明を実施するための最良の形態】
【００１８】
（実施形態１）
以下、本発明の実施形態１に従った電子装置（登録方法およびプログラムを含む）を説明する。【００１９】
以下では、本発明の「電子装置」が、大型のプロジェクタ１である場合を例に挙げて説明する。しかしながら、本発明の電子装置は、大型のプロジェクタ１に限らず、任意の電子装置（例えば、家電製品）でよい。【００２０】
まず、実施形態１のプロジェクタ１の構成について説明する。【００２１】
図１に示すように、プロジェクタ１は、ＵＳＢ（Universal  Serial  Bus）メモリ２の着脱が可能に構成されている。【００２２】
ここで、ＵＳＢメモリ２は、持運びが可能な可搬型の「外部メモリ」である。【００２３】
製造業者は、プロジェクタ１の無償保証期間の開始日を登録する前に行われる事前設定として、ＵＳＢメモリ２を一般的なＰＣ（Personal  Computer）などの情報処理装置に取り付けた上で、当該情報処理装置にて生成したパスワードＰＷＤをＵＳＢメモリ２へ書き込む。【００２４】
該書込後、図２に示すように、ＵＳＢメモリ２は、パスワードＰＷＤを記憶している。【００２５】
なお、製造業者によってあらかじめＵＳＢメモリ２へ書込まれたパスワードＰＷＤは、「第１の認証情報」である。【００２６】
そして、プロジェクタ１の設置を行う者（例えば、設置作業の責任者）は、パスワードＰＷＤが事前設定部１２により書込まれたＵＳＢメモリ２を設置場所へ携帯する。【００２７】
また、製造業者は、一般的なＰＣ（Personal  Computer）などの情報処理装置を用いて、プロジェクタ１を固有に識別するためのシリアル番号ＳＮをプロジェクタ１が具備する記憶部１５へ記憶させる。【００２８】
なお、プロジェクタ１が有する記憶部１５は、利用者により管理される無償保証期間の開始日を記憶しておく役割を果たす。【００２９】
また、ＵＳＢメモリ２は、製造業者により管理される無償保証期間の開始日を記憶しておく役割を果たす。【００３０】
図１に示したプロジェクタ１は、メニュー制御部１１と、比較部１２と、書込部１３と、表示部１４と、記憶部１５と、入力部１６と、外部メモリ取付部１７と、読出部１８とを有する。【００３１】
なお、比較部１２と書込部１３と読出部１８とは、「比較書込部」を構成する。【００３２】
メニュー制御部１１は、当該開始日を登録するサービス期間登録処理を行うための様々な操作メニュー画面のデータを表示部１４へ出力する。【００３３】
また、メニュー制御部１１は、ＵＳＢメモリ２が取付けられた旨が外部メモリ取付部１７から通知された場合、サービス期間登録処理を開始するかどうかの入力を利用者に促すための操作メニュー画面のデータを記憶部１５から読出して表示部１４へ出力する。すると、表示部１４は、図３に例示するようなサービス期間登録用の操作メニュー画面のデータを表示する。【００３４】
また、メニュー制御部１１は、サービス期間登録処理を開始する旨が入力部１６から通知された場合、サービス期間登録用の操作メニュー画面のデータを記憶部１５から読出して表示部１４へ出力する。すると、表示部１４は、図４に例示するようなサービス期間登録用の操作メニュー画面を表示する。【００３５】
また、メニュー制御部１１は、パスワードＰＷＤを読出した旨が読出部１８から通知された場合、パスワード入力を促すメッセージのデータを記憶部１５から読出し、該メッセージのデータを表示部１４へ出力する。すると、表示部１４は、図５に例示するようなサービス期間登録用の操作メニュー画面を表示する。【００３６】
また、メニュー制御部１１は、パスワード認証が成功した旨が比較部１２から通知された場合、無償保証期間の開始の基準となる日時の入力を促すメッセージのデータを記憶部１５から読出し、該メッセージのデータを表示部１４へ出力する。【００３７】
すると、表示部１４は、図６に例示するようなサービス期間登録用の操作メニュー画面を表示する。なお、表示部１４は、図６に示した開始日時の入力部分に、カレンダ（図示せず）および時計（図示せず）が計時している現在の日付や現在時刻情報を表示してもよい。【００３８】
また、メニュー制御部１１は、図６に示した操作メニュー画面を介して開始日時を修正する入力を入力部１６が外部から受付けた場合、該修正された日時を表示させる信号を表示部１４へ出力する。【００３９】
また、メニュー制御部１１は、記憶部１５に記憶されている無償保証期間の開始日時を表示する旨が入力部１６から通知された場合、その開始日時および該開始日時を表示するための操作メニュー画面のデータを読出す「登録日時表示部」である。【００４０】
そして、メニュー制御部１１（「登録日時表示部」）は、読出した開始日時と操作メニュー画面のデータとを表示部１４へ出力する。すると、表示部１４は、図７に例示するようなサービス期間表示用の操作メニュー画面を表示する。【００４１】
比較部１２は、読出部１８が読出して出力してきたパスワードＰＷＤ（第１の認証情報）と、入力部１６が外部（例えば、設置した者）から入力を受付けて出力してきたパスワード（第２の認証情報）とを比較する。【００４２】
該比較の結果、読み出したパスワードＰＷＤと、入力部１６が外部から入力を受付けたパスワードとが一致した場合、比較部１２は、パスワード認証が成功した旨をメニュー制御部１１へ通知する。【００４３】
図６に示した操作メニュー画面を介して、表示部１４が表示している日時を利用開始日として登録する旨（図６の例では、「Ｙｅｓ」）が入力部１６から通知された場合、書込部１３は、日時登録処理の実行を開始する。【００４４】
日時登録処理において、まず、書込部１３は、無償保証サービスに関する情報であるサービス期間情報ＳＶＣを、記憶部１５と、外部メモリ取付部１７に取り付けられているＵＳＢメモリ２とへそれぞれ書込む。【００４５】
この説明例では、サービス期間情報ＳＶＣは、利用開始日として登録する旨の入力を入力部１６が受付けた日時（「日時情報」）と、記憶部１５があらかじめ記憶しているシリアル番号ＳＮおよび無償保証期間（図７の例では、１年間）とを対応付ける情報である。【００４６】
書込部１３によりサービス期間情報ＳＶＣが書込まれた場合、記憶部１５は、図８に示す記憶状態にある。【００４７】
また、図９に示すように、書込部１３によりサービス期間情報ＳＶＣが書込まれた場合、ＵＳＢメモリ２は、パスワードＰＷＤに加えて、当該サービス期間情報ＳＶＣを記憶する。【００４８】
表示部１４は、任意のデータを表示する。【００４９】
例えば、表示部１４は、メニュー制御部１１から出力されてきた図３に示したようなサービス期間登録用の操作メニュー画面のデータを表示する。【００５０】
また、表示部１４は、メニュー制御部１１から出力されてきた図４に示したようなサービス期間登録用の操作メニュー画面のデータを表示する。【００５１】
また、表示部１４は、メニュー制御部１１から出力されてきた、図５に示したようなパスワード入力を促すメッセージのデータを表示する。【００５２】
また、表示部１４は、メニュー制御部１１から出力されてきた、図６に示したような日時の入力を促すメッセージのデータを表示する。【００５３】
記憶部１５は、任意のデータ（例えば、制御部１１を動作させるための様々なプログラム、図３〜７に例示したような様々な操作メニュー画面のデータ、および、様々なデータ）を記憶している。【００５４】
また、製造業者などによる事前設定が完了した場合、図１０に示すように、実施形態１の記憶部１５は、シリアル番号ＳＮを記憶している。なお、シリアル番号ＳＮは、開始日時の登録前（例えば、プロジェクタ１の工場出荷時など）にあらかじめ生成して書込まれる。【００５５】
また、書込部１３によるサービス期間情報ＳＶＣの書込が完了した場合、記憶部１５は、図８に示した記憶状態にある。【００５６】
図１に示した入力部１６は、利用者が行う操作に応じた入力を受付ける。【００５７】
例えば、入力部１６は、無償保証期間の開始日を登録するためのサービス期間登録処理を開始する入力を外部（例えば、製造業者）から受付けて、該サービス期間登録処理を開始する旨をメニュー制御部１１および読出部１８へ通知する。【００５８】
また、入力部１６は、図５に示したようなパスワード入力を促すメッセージのデータを表示部１４が表示している間、パスワード（第２の認証情報）の入力を外部（例えば、設置した者）から受付けて、該入力を受付けたパスワード（第２の認証情報）を比較部１２へ出力する。【００５９】
また、入力部１６は、図６に示した操作メニュー画面のデータを表示部１４が表示している間、開始日時の入力または該開始日時を修正する入力を外部から受付ける。【００６０】
さらに、入力部１６は、図６に示した操作メニュー画面のデータを表示部１４が表示している間、該表示されている日時を利用開始日として登録する旨の入力を外部（例えば、設置した者）から受付けて、該登録する旨を書込部１３へ通知する。【００６１】
また、書込部１３による開始日時の登録後、入力部１６は、記憶部１５に記憶されている無償保証期間の開始日を表示する旨の入力を外部（例えば、プロジェクタ１の利用者や設置者）から受付けた場合、該開始日を表示する旨をメニュー制御部１１へ通知する。【００６２】
外部メモリ取付部１７は、ＵＳＢメモリ２（外部メモリ）の着脱が可能に構成されたＵＳＢインターフェースである。【００６３】
また、外部メモリ取付部１７は、ＵＳＢメモリ２が取付けられた場合、該取付の旨をメニュー制御部１１へ通知する。【００６４】
読出部１８は、外部メモリ取付部１７にＵＳＢメモリ２が取付けられている場合、該ＵＳＢメモリ２から任意の情報を読出す。【００６５】
また、読出部１８は、サービス期間登録処理を開始する旨が入力部１６から通知された場合、パスワードＰＷＤをＵＳＢメモリ２から読出して、該パスワードＰＷＤを読出した旨をメニュー制御部１１へ通知する。【００６６】
また、読出部１８は、該読み出したパスワードＰＷＤを比較部１２へ出力する。【００６７】
つぎに、上記構成を有するプロジェクタ１が、無償保証期間の開始日時を該プロジェクタ１が具備する記憶部１５およびＵＳＢメモリ２へ書込む動作を、図１１に示すフローチャートを参照して説明する。【００６８】
なお、以下の説明の前提として、製造業者による事前設定が完了し、ＵＳＢメモリ２は、図２に示した記憶状態にある。【００６９】
プロジェクタ１の設置が完了した場合、該設置を行った者（例えば、製造業者）は、設置場所へ携帯したＵＳＢメモリ２を、プロジェクタ１の外部メモリ取付部１７へ取付ける。なお、設置した者が、ＵＳＢメモリ２を外部メモリ取付部１７へ取付ける場合とは、例えば、無償保証期間の開始をプロジェクタ１を購入した利用者が了解した場合などが挙げられる。【００７０】
図１１に示すように、まず、ステップ２１にて、外部メモリ取付部１７は、ＵＳＢメモリ２が取付けられた場合、該取付の旨をメニュー制御部１１へ通知する。すると、メニュー制御部１１は、サービス期間登録処理を開始するかどうかの入力を利用者に促すための操作メニュー画面のデータを記憶部１５から読出して表示部１４へ出力する。続いて、表示部１４は、図３に示したサービス期間登録用の操作メニュー画面のデータを表示する。【００７１】
その後、入力部１６は、無償保証期間の開始日を登録するためのサービス期間登録処理を開始する入力を外部（例えば、製造業者）から受付けて、該サービス期間登録処理を開始する旨をメニュー制御部１１および読出部１８へ通知する。【００７２】
すると、メニュー制御部１１は、図４に示したサービス期間登録用の操作メニュー画面のデータを記憶部１５から読出して表示部１４へ出力する。すると、表示部１４は、図４に示した操作メニュー画面を表示する。【００７３】
また、サービス期間登録処理を開始する旨が入力部１６から通知された場合、読出部１８は、パスワードＰＷＤをＵＳＢメモリ２から読出して、該パスワードＰＷＤを読出した旨をメニュー制御部１１へ通知する。【００７４】
また、読出部１８は、ＵＳＢメモリ２から読み出したパスワードＰＷＤを比較部１２へ出力する。【００７５】
続いて、メニュー制御部１１は、パスワードＰＷＤを読出した旨が読出部１８から通知された場合、パスワード入力を促すメッセージのデータを記憶部１５から読出し、該メッセージのデータを表示部１４へ出力する。すると、表示部１４は、図５に示したサービス期間登録用の操作メニュー画面を表示する。【００７６】
また、ステップ２２にて、入力部１６は、図５に示したパスワード入力を促すメッセージのデータを表示部１４が表示している間、パスワード（第２の認証情報）の入力を外部（例えば、設置した者）から受付けて、該受付けたパスワードを比較部１２へ出力する。【００７７】
続いて、ステップ２３にて、比較部１２は、読出部１８が読出して出力してきたパスワードＰＷＤ（第１の認証情報）と、入力部１６が外部（例えば、設置した者）から入力を受付けて出力してきたパスワード（第２の認証情報）とを比較する。【００７８】
該比較の結果、ＵＳＢメモリ２から読み出したパスワードＰＷＤと、入力部１６が外部から入力を受付けたパスワードとが一致した場合、比較部１２は、パスワード認証が成功した旨をメニュー制御部１１へ通知する。【００７９】
すると、メニュー制御部１１は、無償保証期間の開始の基準となる日時の入力を促すメッセージのデータを記憶部１５から読出し、該メッセージのデータを表示部１４へ出力する。【００８０】
すると、表示部１４は、図６に示したサービス期間登録用の操作メニュー画面を表示する。なお、表示部１４は、図６に示した操作メニュー画面のなかの開始日時の入力部分に、カレンダ（図示せず）や時計（図示せず）が計時している現在の日付や現在時刻を表示してもよい。【００８１】
また、ステップ２４にて、入力部１６は、図６に示した操作メニュー画面を介して、開始日時の入力または該開始日時を修正する入力を入力部１６が外部から受付ける。該修正の入力を入力部１６が外部から受付けた場合、メニュー制御部１１は、該修正された日時を表示させる信号を表示部１４へ出力する。【００８２】
その後、ステップ２５にて、入力部１６は、表示部１４に現在表示されている日時を開始日として登録する旨の入力を外部（例えば、設置者）から受付けて、該登録の旨を書込部１３へ通知する。【００８３】
該登録の旨を入力部１６から通知された場合、ステップ２６にて、書込部１３は、無償保証サービスに関する情報であるサービス期間情報ＳＶＣを、記憶部１５および外部メモリ取付部１７に取り付けられているＵＳＢメモリ２へそれぞれ書込む。【００８４】
さらに、開始日の登録後、入力部１６は、記憶部１５に記憶されている無償保証期間の開始日を表示する旨の入力を外部（例えば、利用者や設置者）から受付けた場合、該開始日を表示する旨をメニュー制御部１１へ通知する。【００８５】
すると、メニュー制御部１１は、開始日時および該開始日時を表示するための操作メニュー画面のデータを記憶部１５から読出す。そして、メニュー制御部１１は、読出した開始日時と操作メニュー画面のデータとを表示部１４へ出力する。すると、表示部１４は、図７に示したサービス期間表示用の操作メニュー画面を表示する。【００８６】
以上で、実施形態１のプロジェクタ１が、無償保証期間の開始日を該プロジェクタ１が具備する記憶部１５およびＵＳＢメモリ２へ書込む一連の動作が終了する。【００８７】
以上説明したように、本発明の実施形態１によれば、比較部１２は、ＵＳＢメモリ２に記憶されているパスワードＰＷＤ（第１の認証情報）と、入力部１６が外部から入力を受付けたパスワード（第２の認証情報）とを比較する。そして、該比較の結果、第１の認証情報と第２の認証情報とが一致してパスワード認証が成功した場合、書込部１３が、無償保証期間の開始日時を含むサービス期間情報ＳＶＣを、利用者が購入したプロジェクタ１の記憶部１５と、製造業者が所有するＵＳＢメモリ２それぞれへ記憶させる。【００８８】
これにより、電子装置（プロジェクタ１）の設置場所において、無償保証期間の開始日を登録するための製造業者のデータベースＤＢと通信する環境や手段がない場合でも、複数の当事者（例えば、製造業者と利用者）の間で開始日時の管理を容易に開始することができる。つまり、販売された電子装置の保証サービスに関するサービス期間情報ＳＶＣを複数の当事者間（例えば、顧客と製造元と販売元）で円滑に共有することが可能となる。【００８９】
この場合、利用者においては、購入したプロジェクタ１の記憶部に記憶されている開始日に基づいて、無償保証期間が経過したかどうかを確認することが可能となる。【００９０】
また、製造業者は、ＵＳＢメモリ２に記憶されている開始日を確認することが可能となる。また、製造業者は持ち帰ったＵＳＢメモリ２内に記憶されている日時情報をデータベースＤＢに登録し、利用者や販売元に公開することで、日時情報を容易に共有することも可能である。【００９１】
該共有により、例えば、プロジェクタ１の記憶部１５が故障した場合でも、ＵＳＢメモリ２が記憶している日時情報を記憶部１５へ再度書込むことにより、日時情報の復元を行うことができる。そのため、プロジェクタ１の利用者が保証書を紛失してしまった場合でも、該利用者に対して無償の保証サービスが提供されるべき無償保証期間内であれば、購入した電子装置の無料検査や無料修理の提供も可能となる。
（実施形態２）
つぎに、実施形態２のプロジェクタ１について説明する。【００９２】
実施形態２における事前設定処理は、実施形態１と同じでよい。つまり、開始日時の登録前（例えば、プロジェクタ１の工場出荷時など）に製造業者により行われる事前設定処理が完了した場合、記憶部１５は図１０に示した記憶状態にあり、ＵＳＢメモリ２は図２に示した記憶状態にある。【００９３】
つぎに、実施形態２のプロジェクタ１の構成について説明する。【００９４】
図１２に示すように、実施形態２のプロジェクタ１は、日時時計部１９を有する点で図１に示した構成と異なる。【００９５】
実施形態２の読出部１８は、サービス期間登録処理を開始する旨が入力部１６から通知された場合、パスワードＰＷＤをＵＳＢメモリ２から読出して、該パスワードＰＷＤを読出した旨をメニュー制御部１１および日時時計部１９へ通知する。【００９６】
日時時計部１９は、現在の日付を計時するカレンダや現在時刻を計時する時計で構成される。【００９７】
日時時計部１９は、パスワードＰＷＤをＵＳＢメモリ２から読出した旨が読出部１８から通知された場合、該計時している現在の日付や現在時刻をメニュー制御部１１および書込部１３へ出力する。【００９８】
すると、メニュー制御部１１は、日時時計部１９から出力されてきた現在の日付や現在時刻とともに、図５に示した操作メニュー画面のデータを表示部１４へ出力する。すると、表示部１４は、図１３に例示するような、図５に示した操作メニュー画面のなかに現在の日付や時刻が示された画面を表示する。【００９９】
また、入力部１６は、図１３に示した操作メニュー画面を表示部１４が表示している間、パスワード（第２の認証情報）の入力を外部（例えば、設置した者）から受付けて、該入力を受付けたパスワード（第２の認証情報）を比較部１２へ出力する。【０１００】
すると、比較部１２は、読出部１８が読出して出力してきたパスワードＰＷＤ（第１の認証情報）と、入力部１６が出力してきたパスワード（第２の認証情報）とを比較する。【０１０１】
該比較の結果、ＵＳＢメモリ２から読み出したパスワードＰＷＤと、入力部１６が外部から入力を受付けたパスワードとが一致した場合、比較部１２は、パスワード認証が成功した旨を書込部１３へ通知する。【０１０２】
また、実施形態２の書込部１３は、パスワード認証が成功した旨が比較部１２から通知された場合、該通知された際に日時時計部１９から出力されてきた現在の日付や現在時刻を無償保証期間の開始日時とするサービス期間情報ＳＶＣを、記憶部１５と、外部メモリ取付部１７に取り付けられているＵＳＢメモリ２とへそれぞれ書込む。【０１０３】
つぎに、実施形態２のプロジェクタ１が、無償保証期間の開始日時を記憶部１５およびＵＳＢメモリ２へ書込む動作を、図１４に示すフローチャートを参照して説明する。【０１０４】
図１４に示すように、実施形態２のプロジェクタ１が開始日時を記憶部１５およびＳＵＢメモリ２へ書込む動作は、ステップ２４〜２５の処理を有していない点およびステップ３２の処理を有する点において、図１１に示した動作と異なる。【０１０５】
図１４に示したステップ３１の完了後、入力部１６は、開始日を登録するためのサービス期間登録処理を開始する入力を外部（例えば、製造業者）から受付けて、該サービス期間登録処理を開始する旨をメニュー制御部１１および読出部１８へ通知する。【０１０６】
すると、読出部１８は、パスワードＰＷＤをＵＳＢメモリ２から読出して、該パスワードＰＷＤを読出した旨をメニュー制御部１１および日時時計部１９へ通知する。【０１０７】
また、読出部１８は、ＵＳＢメモリ２から読み出したパスワードＰＷＤを比較部１２へ出力する。【０１０８】
その後、日時時計部１９は、パスワードＰＷＤをＵＳＢメモリ２から読出した旨が読出部１８から通知された場合、計時している現在の日付や現在時刻をメニュー制御部１１および書込部１３へ出力する。【０１０９】
すると、メニュー制御部１１は、日時時計部１９から出力されてきた現在の日付や現在時刻とともに、図５に示した操作メニュー画面のデータを表示部１４へ出力する。【０１１０】
すると、ステップ３２において、表示部１４は、図１３に示した現在の日付や時刻が示された操作メニュー画面を表示する。【０１１１】
また、ステップ３３において、入力部１６は、図１３に示した操作メニュー画面を表示部１４が表示している間、パスワード（第２の認証情報）の入力を外部（例えば、設置した者）から受付けて、該入力を受付けたパスワード（第２の認証情報）を比較部１２へ出力する。【０１１２】
すると、ステップ３４において、比較部１２は、読出部１８が読出して出力してきたパスワードＰＷＤ（第１の認証情報）と、入力部１６が出力してきたパスワード（第２の認証情報）とを比較する。【０１１３】
該比較の結果、ＵＳＢメモリ２から読み出したパスワードＰＷＤと、入力部１６が外部から入力を受付けたパスワードとが一致した場合、比較部１２は、パスワード認証が成功した旨を書込部１３へ通知する。【０１１４】
すると、ステップ３５において、書込部１３は、パスワード認証が成功した旨が通知された際に日時時計部１９から出力されてきた現在の日付や現在時刻を無償保証期間の開始日時とするサービス期間情報ＳＶＣを、記憶部１５とＵＳＢメモリ２とへそれぞれ書込む。【０１１５】
以上説明したように、実施形態２によれば、書込部１３は、パスワード認証が成功した旨が通知された際、日時時計部１９から出力されてきた現在の日付や現在時刻を、無償保証期間の開始日時として記憶部１５およびＵＳＢメモリ２へそれぞれ書込む。【０１１６】
これにより、設置者などが、入力部１６を用いて開始日を入力する手間を省くことができる。
（実施形態３）
つぎに、実施形態３のプロジェクタ１について説明する。【０１１７】
なお、実施形態３は、実施形態２において図１２に示した構成にも適用可能であるが、ここでは、実施形態１において図１に示した構成に対して適用した場合を例に挙げて説明する。【０１１８】
実施形態３の例では、製造業者は、一般的なＰＣ（Personal  Computer）などの情報処理装置を用いて、開始日時の登録前（例えば、プロジェクタ１の工場出荷時など）の事前設定処理において、公開鍵ＰＢと秘密鍵ＳＲとをあらかじめ生成する。【０１１９】
そして、製造業者は、秘密鍵ＳＲを、プロジェクタ１の記憶部１５へ書込んでおく。【０１２０】
すると、図１５に示すように、プロジェクタ１の記憶部１５は、書き込まれた秘密鍵ＳＲを記憶する。【０１２１】
この説明例では、暗号化に用いる秘密鍵ＳＲと、復号化に用いる公開鍵ＰＢとがそれぞれ異なり、かつ、該秘密鍵ＳＲと該公開鍵ＰＢとがペアを構成する非対象鍵である場合を例に挙げて説明する。しかしながら、公開鍵ＰＢおよび秘密鍵ＳＲの鍵の種類は任意でよい。【０１２２】
また、製造業者は、上述した情報処理装置を用いて、公開鍵ＰＢを用いてパスワードＰＷＤの暗号化を行う。そして、製造業者は、暗号化したパスワードＰＷＤを、該情報処理装置に取り付けられたＵＳＢメモリ２へ書き込む。【０１２３】
すると、図１６に示すように、ＵＳＢメモリ２は、書き込まれた暗号化されたパスワードＰＷＤを記憶する。なお、事前設定部１２がＵＳＢメモリ２へ書込んだ、公開鍵ＰＢを用いて暗号化されたパスワードＰＷＤは、「第１の認証情報」である。【０１２４】
また、図１７に示すように、実施形態３のプロジェクタ１は、復号化部１１０をさらに有する点で図１に示した構成と異なる。【０１２５】
また、実施形態３の入力部１６は、開始日を登録するためのサービス期間登録処理を開始する入力を外部（例えば、製造業者）から受付けて、該サービス期間登録処理を開始する旨をメニュー制御部１１と読出部１８と復号化部１１０とへ通知する。【０１２６】
すると、メニュー制御部１１は、図１８に例示する操作メニュー画面のデータを記憶部１５から読み出して表示部１４へ出力する。すると、表示部１４は、図１８に示した操作メニュー画面のデータを表示する。【０１２７】
また、読出部１８は、サービス期間登録処理を開始する旨が入力部１６から通知された場合、暗号化されているパスワードＰＷＤをＵＳＢメモリ２から読出して復号化部１１０へ出力する。【０１２８】
復号化部１１０は、サービス期間登録処理を開始する旨が入力部１６から通知された場合、記憶部１５が記憶している秘密鍵ＳＲを用いて、読出部１８がＵＳＢメモリ２から読み出して出力してきた暗号化されているパスワードＰＷＤを復号化する。そして、復号化部１１０は、復号化によって得られたパスワードＰＷＤを比較部１２へ出力する。【０１２９】
また、復号化部１１０は、該復号化した旨をメニュー制御部１１へ通知する。すると、メニュー制御部１１は、暗号化されているパスワードＰＷＤを復号化した旨が復号化部１１０から通知された場合、図５に示したパスワード入力を促すメッセージのデータを記憶部１５から読出し、該メッセージのデータを表示部１４へ出力する。すると、表示部１４は、図５に示した操作メニュー画面を表示する。【０１３０】
比較部１２は、復号化部１１０が復号化して出力してきたパスワードＰＷＤ（第１の認証情報）と、入力部１６が外部（例えば、設置した者）から入力を受付けて出力してきたパスワード（第２の認証情報）とを比較する。【０１３１】
該比較の結果、復号化により得られたパスワードＰＷＤと、入力部１６が外部から入力を受付けたパスワードとが一致した場合、比較部１２は、パスワード認証が成功した旨をメニュー制御部１１へ通知する。なお、メニュー制御部１１は、パスワード認証が成功した旨が比較部１２から通知された場合、図６に示した開始日時の入力を促すメッセージのデータを記憶部１５から読出し、該メッセージのデータを表示部１４へ出力する。【０１３２】
つぎに、実施形態３のプロジェクタ１が、無償保証期間の開始日時を記憶部１５およびＵＳＢメモリ２へ書込む動作を、図１９に示すフローチャートを参照して説明する。【０１３３】
なお、以下の説明の前提として、製造業者による事前設定が完了し、ＵＳＢメモリ２は、図１６に示した記憶状態にある。【０１３４】
図１９に示すように、実施形態３のプロジェクタ１が開始日時を記憶部１５およびＳＵＢメモリ２へ書込む動作は、ステップ４２の処理を有する点において、図１１に示した動作と異なる。【０１３５】
ステップ４１の完了後、入力部１６は、開始日を登録するためのサービス期間登録処理を開始する入力を外部（例えば、製造業者）から受付けて、該サービス期間登録処理を開始する旨をメニュー制御部１１と読出部１８と復号化部１１０とへ通知する。【０１３６】
すると、メニュー制御部１１は、図１８に示した操作メニュー画面のデータを記憶部１５から読み出して表示部１４へ出力する。すると、表示部１４は、図１８に示した操作メニュー画面のデータを表示する。【０１３７】
また、読出部１８は、サービス期間登録処理を開始する旨が入力部１６から通知された場合、暗号化されているパスワードＰＷＤをＵＳＢメモリ２から読出して復号化部１１０へ出力する。【０１３８】
すると、ステップ４２において、復号化部１１０は、記憶部１５が記憶している秘密鍵ＳＲを用いて、読出部１８がＵＳＢメモリ２から読み出して出力してきた暗号化されているパスワードＰＷＤを復号化する。そして、復号化部１１０は、復号化によって得られたパスワードＰＷＤを比較部１２へ出力する。【０１３９】
また、ステップ４４においては、比較部１２は、復号化部１１０が復号化して出力してきたパスワードＰＷＤ（第１の認証情報）と、入力部１６が外部（例えば、設置した者）から入力を受付けて出力してきたパスワード（第２の認証情報）とを比較する。該比較の結果、復号化により得られたパスワードＰＷＤと、入力部１６が外部から入力を受付けたパスワードとが一致した場合、比較部１２は、パスワード認証が成功した旨をメニュー制御部１１へ通知する。なお、それ以降の動作は、図１１に示した動作と同じである。【０１４０】
以上説明したように、実施形態３によれば、ＵＳＢメモリ２には暗号化された状態でパスワードＰＷＤが記憶されている。これにより、当該パスワードＰＷＤの改ざんが行われにくくすることができ、ひいては、開始日時を登録する場合に行われるパスワード認証の信頼性を向上させることができる。
（実施形態４）
つぎに、実施形態４のプロジェクタ１について説明する。【０１４１】
実施形態４では、製造業者は、一般的なＰＣなどの情報処理装置を用いて、開始日時の登録前（例えば、プロジェクタ１の工場出荷時など）の事前設定処理において、識別子ＶＤをあらかじめ生成する。【０１４２】
そして、データベースＤＢは、識別子ＶＤを、プロジェクタ１の記憶部１５およびＵＳＢメモリ２へ書込む。この場合、記憶部１５は、図２０に示した記憶状態にある。【０１４３】
ここでいう「識別子ＶＤ」とは、プロジェクタ１（電子装置）の製造業者の署名機能を目的とする当該製造業者を識別するための情報である。【０１４４】
識別子ＶＤの具体例としては、「NEC  Display  Solutions  Projector」などのような製造業者を示す文字列などが挙げられる。【０１４５】
また、この説明例では、不正な第３者による成りすましが行われにくくするために、製造業者は、上述した情報処理装置などにおいて、識別子暗号鍵ＶＥＮを用いて識別子ＶＤを暗号化する。【０１４６】
そして、製造業者は、当該暗号化された識別子ＶＤをＵＳＢメモリ２へ書込むとともに、該暗号化された識別子ＶＤを復号化するための識別子復号鍵ＶＤＫをＵＳＢメモリ２へ書込む。すると、図２１に示すように、ＵＳＢメモリ２には、書込まれた識別子復号鍵ＶＤＫと、識別子ＶＤが記憶されている。【０１４７】
ここで、識別子暗号鍵ＶＥＫおよび識別子復号鍵ＶＤＫの鍵の種類については特に限定しない。この説明例では、識別子暗号鍵ＶＥＫおよび識別子復号鍵ＶＤＫが、互いに異なる暗号化用の鍵と復号化用の鍵とのペアを構成する非対称鍵である。【０１４８】
また、図２２に示すように、実施形態４のプロジェクタ１は、識別子比較部１１１をさらに有する点で図１７に示した構成と異なる。【０１４９】
また、実施形態４の入力部１６は、開始日を登録するためのサービス期間登録処理を開始する入力を外部（例えば、製造業者）から受付けて、該サービス期間登録処理を開始する旨を読出部１８と識別子比較部１１１とへ通知する。【０１５０】
続いて、読出部１８は、サービス期間登録処理を開始する旨が入力部１６から通知された場合、識別子ＶＤをＵＳＢメモリ２から読出して識別子比較部１１１へ出力する。なお、この例では、ＵＳＢメモリ２内の識別子ＶＤは、識別子暗号鍵ＶＥＮにより暗号化されている。【０１５１】
また、識別子比較部１１１は、サービス期間登録処理を開始する旨が入力部１６から通知された場合、読出部１８がＵＳＢメモリ２から読み出して出力してきた識別子ＶＤが暗号化されているかどうかを判別する。【０１５２】
そして、識別子比較部１１１は、識別子ＶＤが暗号化されていると判別した場合、ＵＳＢメモリ２内の識別子復号鍵ＶＤＫを用いて、ＵＳＢメモリ２内の暗号化された識別子ＶＤを復号化する。【０１５３】
さらに、識別子比較部１１１は、復号化によって得られたＵＳＢメモリ２内の識別子ＶＤと、記憶部１５内の識別子ＶＤとを比較する。【０１５４】
該比較の結果、ＵＳＢメモリ２内の識別子ＶＤと記憶部１５内の識別子ＶＤとが一致した場合、復号化部１１０は、記憶部１５が記憶している秘密鍵ＳＲを用いて、ＵＳＢメモリ２内の暗号化されているパスワードＰＷＤを復号化する。そして、復号化部１１０は、復号化によって得られたパスワードＰＷＤを比較部１２へ出力する。【０１５５】
また、復号化部１１０は、該復号化した旨をメニュー制御部１１へ通知する。すると、メニュー制御部１１は、図５に示したパスワード入力を促すメッセージのデータを記憶部１５から読出し、該メッセージのデータを表示部１４へ出力する。すると、表示部１４は、図５に示した操作メニュー画面を表示する。【０１５６】
その後、比較部１２は、復号化部１１０が復号化して出力してきたパスワードＰＷＤ（第１の認証情報）と、入力部１６が外部（例えば、設置した者）から入力を受付けて出力してきたパスワード（第２の認証情報）とを比較する。該比較の結果、復号化により得られたパスワードＰＷＤと、入力部１６が外部から入力を受付けたパスワードとが一致した場合、比較部１２は、パスワード認証が成功した旨をメニュー制御部１１へ通知する。すると、メニュー制御部１１は、図６に示した開始日時の入力を促すメッセージのデータを記憶部１５から読出して、該メッセージのデータを表示部１４へ出力する。【０１５７】
つぎに、実施形態４のプロジェクタ１が、無償保証期間の開始日時を記憶部１５およびＵＳＢメモリ２へ書込む動作を、図２３に示すフローチャートを参照して説明する。【０１５８】
なお、以下の説明の前提として、製造業者による事前設定が完了し、ＵＳＢメモリ２は、図２１に示した記憶状態にある。【０１５９】
図２３に示すように、実施形態４のプロジェクタ１が開始日時を記憶部１５およびＳＵＢメモリ２へ書込む動作は、ステップ５２の処理を有する点において、図１９に示した動作と異なる。【０１６０】
図２３に示したステップ５１の完了後、入力部１６は、開始日を登録するためのサービス期間登録処理を開始する入力を外部（例えば、製造業者）から受付けて、該サービス期間登録処理を開始する旨を読出部１８と識別子比較部１１１とへ通知する。【０１６１】
続いて、読出部１８は、サービス期間登録処理を開始する旨が入力部１６から通知された場合、識別子ＶＤをＵＳＢメモリ２から読出して識別子比較部１１１へ出力する。なお、この例では、ＵＳＢメモリ２内の識別子ＶＤは、識別子暗号鍵ＶＥＮにより暗号化されている。【０１６２】
また、識別子比較部１１１は、サービス期間登録処理を開始する旨が入力部１６から通知された場合、読出部１８がＵＳＢメモリ２から読み出して出力してきた識別子ＶＤが暗号化されているかどうかを判別する。【０１６３】
そして、識別子比較部１１１は、識別子ＶＤが暗号化されていると判別した場合、ＵＳＢメモリ２内の識別子復号鍵ＶＤＫを用いて、ＵＳＢメモリ２内の暗号化された識別子ＶＤを復号化する。【０１６４】
さらに、ステップ５２において、識別子比較部１１１は、復号化によって得られたＵＳＢメモリ２内の識別子ＶＤと、記憶部１５内の識別子ＶＤとを比較する。【０１６５】
該比較の結果、ＵＳＢメモリ２内の識別子ＶＤと記憶部１５内の識別子ＶＤとが一致した場合、ステップ５３にて、復号化部１１０は、記憶部１５が記憶している秘密鍵ＳＲを用いて、ＵＳＢメモリ２内の暗号化されているパスワードＰＷＤを復号化する。そして、復号化部１１０は、復号化によって得られたパスワードＰＷＤを比較部１２へ出力する。【０１６６】
また、復号化部１１０は、該復号化した旨をメニュー制御部１１へ通知する。すると、メニュー制御部１１は、図５に示したパスワード入力を促すメッセージのデータを記憶部１５から読出し、該メッセージのデータを表示部１４へ出力する。【０１６７】
すると、ステップ５４にて、表示部１４は、図５に示した操作メニュー画面を表示する。なお、それ以降の動作は、図１９に示した動作と同じである。【０１６８】
以上説明したように、実施形態４によれば、ＵＳＢメモリ２内の識別子ＶＤと記憶部１５内の識別子ＶＤとが一致した場合、記憶部１５内の秘密鍵ＳＲを用いて、ＵＳＢメモリ２内の暗号化されたパスワードＰＷＤの復号化を行う。【０１６９】
つまり、当該暗号化されたパスワードＰＷＤのＵＳＢメモリ２への書込が電子装置の製造業者により行われたことを確認した上で、パスワード認証を行うための復号化処理を実行する。そのため、パスワード認証の信頼性をより一層向上させることができる。
（実施形態５）
つぎに、実施形態５のプロジェクタ１について説明する。【０１７０】
実施形態５では、製造業者は、開始日時の登録前（例えば、プロジェクタ１の工場出荷時など）の事前設定処理において、日時暗号鍵ＤＥＮをあらかじめ生成する。そして、製造業者は、一般的な情報処理装置を用いて、日時暗号鍵ＤＥＮをＵＳＢメモリ２へ書込む。【０１７１】
すると、図２４に示すように、ＵＳＢメモリ２には、書込まれた日時暗号鍵ＤＥＮが記憶されている。【０１７２】
なお、日時暗号鍵ＤＥＮの種類については特に限定しない。この説明例においては、日時暗号鍵ＤＥＮは、製造業者のみに公開される利用者には非公開の対称鍵である。【０１７３】
また、日時暗号鍵ＤＥＮは、プロジェクタ１が無償保証期間の開始日時を含む情報であるサービス期間情報ＳＶＣを暗号化するために用いられる。【０１７４】
また、図２５に示すように、実施形態５のプロジェクタ１は、日時暗号化部１１２をさらに有する点で図２２に示した構成と異なる。【０１７５】
実施形態５の入力部１６は、図６に示した操作メニュー画面のデータを表示部１４が表示している間、該表示されている日時を利用開始日として登録する旨の入力を外部（例えば、設置した者）から受付けて、該登録する旨を日時暗号化部１１２へ通知する。【０１７６】
すると、日時暗号化部１１２は、表示されている日時を利用開始日として登録する旨が入力部１６から通知された場合、ＵＳＢメモリ２に記憶されている日時暗号鍵ＤＥＮを用いて、開始日時などを含むサービス期間情報ＳＶＣを暗号化する。そして、日時暗号化部１１２は、暗号化したサービス期間情報ＳＶＣを書込部１３へ出力する。【０１７７】
なお、サービス期間情報ＳＶＣの暗号化は、サービス期間情報ＳＶＣの改ざんを行われにくくするために行われる。【０１７８】
その後、書込部１３は、日時暗号化部１１２から出力されてきた暗号化されたサービス期間情報ＳＶＣを記憶部１５およびＵＳＢメモリ２へ書込む。【０１７９】
つぎに、実施形態５のプロジェクタ１が、無償保証期間の開始日時を記憶部１５およびＵＳＢメモリ２へ書込む動作を、図２６に示すフローチャートを参照して説明する。【０１８０】
なお、以下の説明の前提として、製造業者による事前設定が完了し、ＵＳＢメモリ２は、図２４に示した記憶状態にある。【０１８１】
図２６に示すように、実施形態５のプロジェクタ１が開始日時を記憶部１５およびＳＵＢメモリ２へ書込む動作は、ステップ６８の処理を有する点において、図２３に示した動作と異なる。【０１８２】
図２６に示したステップ６７において、入力部１６は、図６に示した操作メニュー画面のデータを表示部１４が表示している間、該表示されている日時を利用開始日として登録する旨の入力を外部（例えば、設置した者）から受付けて、該登録する旨を日時暗号化部１１２へ通知する。【０１８３】
すると、ステップ６８において、日時暗号化部１１２は、表示されている日時を利用開始日として登録する旨が入力部１６から通知された場合、ＵＳＢメモリ２に記憶されている日時暗号鍵ＤＥＮを用いて、開始日時などを含むサービス期間情報ＳＶＣを暗号化する。【０１８４】
そして、日時暗号化部１１２は、暗号化したサービス期間情報ＳＶＣを書込部１３へ出力する。【０１８５】
なお、日時暗号鍵ＤＥＮは、ＵＳＢメモリ２内の製造業者のみに公開される利用者に非公開の鍵である。【０１８６】
すると、ステップ６９において、書込部１３は、日時暗号化部１１２から出力されてきた暗号化されたサービス期間情報ＳＶＣを記憶部１５およびＵＳＢメモリ２へ書込む。【０１８７】
なお、書込部１３は、サービス期間情報ＳＶＣの末尾にシリアル番号ＳＮの前半部分およびシリアル番号ＳＮの後半部分をそれぞれ追加してもよい。そして、書込部１３は、シリアル番号ＳＮの前半部分を付与したサービス期間情報ＳＶＣをプロジェクタ１の記憶部１５へ記憶させ、シリアル番号ＳＮの後半部分を付与したサービス期間情報ＳＶＣをＵＳＢメモリ２へ記憶させてもよい。【０１８８】
これにより、プロジェクタ１の記憶部１５とＵＳＢメモリ２とのどちらに記憶させたサービス期間情報ＳＶＣが改ざんされたかの確認を行うことが可能となる。【０１８９】
以上説明したように、実施形態５によれば、日時暗号化部１１２は、開始日時を含むサービス期間情報ＳＶＣを、日時暗号鍵ＤＥＮを用いて暗号化する。そして、書込部１３は、該暗号化されたサービス期間情報ＳＶＣを記憶部１５およびＵＳＢメモリ２それぞれへ書込む。【０１９０】
これにより、プロジェクタ１の記憶部１５およびＵＳＢメモリ２それぞれに記憶されている日時情報の改ざんを行われにくくすることができる。そのため、開始日を紙に記入する一般的な登録方法と比べて、登録されている開始日時の信頼性を向上することができ、電子装置（プロジェクタ１）の利用者に対して無償の保証サービスを適正に提供することが可能となる。
（実施形態６）
つぎに、実施形態６のプロジェクタ１について説明する。【０１９１】
図２７に示すように、実施形態６のプロジェクタ１と、製造業者などが所有するデータベースＤＢとは、ネットワークＮＷを介して互いに接続されている。なお、通信部１１３とネットワークＮＷとの間の接続、および、データベースＤＢとネットワークＮＷとの間の接続それぞれは、有線接続方式と無線接続方式とのいずれでもよい。【０１９２】
実施形態６の書込部１３は、サービス期間情報ＳＶＣを記憶部１５およびＵＳＢメモリ２へ書込んだ場合、該サービス期間情報ＳＶＣを通信部１１３へ出力する。【０１９３】
図２７に示した通信部１１３は、任意のデータを送受信する。【０１９４】
例えば、通信部１１３は、書込部１３から出力されてきたサービス期間情報ＳＶＣを、ネットワークＮＷを介して、製造業者などが有する所定のデータベースＤＢへ送信する。【０１９５】
この場合、データベースＤＢは、プロジェクタ１から送信されてきたサービス期間情報ＳＶＣを記憶する。【０１９６】
なお、この説明例では、書込部１３は、日時暗号化部１１２が暗号化したサービス期間情報ＳＶＣを、記憶部１５およびＵＳＢメモリ２へ書き込むとともに、通信部１１３へ出力する。すると、通信部１１３は、当該暗号化されたサービス期間情報ＳＶＣをデータベースＤＢへ送信する。この場合、データベースＤＢは、通信部１１３から送信されてきた暗号化されたサービス期間情報ＳＶＣを、製造業者によってあらかじめ書き込まれた日時暗号鍵ＤＥＮを用いて、復号化して記憶してもよい。【０１９７】
つぎに、実施形態６のプロジェクタ１が、無償保証期間の開始日時の記憶部１５およびＵＳＢメモリ２への書込と、該開始日時のデータベースＤＢへの送信とを行う動作を、図２８に示すフローチャートを参照して説明する。【０１９８】
なお、以下の説明の前提として、製造業者による事前設定が完了し、ＵＳＢメモリ２は、図２４に示した記憶状態にある。【０１９９】
図２５に示すように、実施形態６のプロジェクタ１が開始日時を記憶部１５およびＳＵＢメモリ２へ書込む動作は、ステップ７１０の処理を有する点において、図２７に示した動作と異なる。【０２００】
図２８に示したステップ７８にて、日時暗号化部１１２は、表示されている日時を利用開始日として登録する旨が入力部１６から通知された場合、ＵＳＢメモリ２に記憶されている日時暗号鍵ＤＥＮを用いて、開始日時などを含むサービス期間情報ＳＶＣを暗号化する。そして、日時暗号化部１１２は、暗号化したサービス期間情報ＳＶＣを書込部１３へ出力する。【０２０１】
すると、ステップ７９にて、書込部１３は、日時暗号化部１１２から出力されてきた暗号化されたサービス期間情報ＳＶＣを記憶部１５およびＵＳＢメモリ２へ書込む。【０２０２】
続いて、書込部１３は、暗号化されたサービス期間情報ＳＶＣを通信部１１３へ出力する。【０２０３】
すると、ステップ７１０にて、通信部１１３は、書込部１３から出力されてきた暗号化されたサービス期間情報ＳＶＣを、ネットワークＮＷを介してデータベースＤＢへ送信する。この場合、データベースＤＢは、通信部１１３から送信されてきた暗号化されたサービス期間情報ＳＶＣを記憶する。【０２０４】
以上説明したように、実施形態６によれば、プロジェクタ１の通信部１１３は、書込部１３によって記憶部１５およびＵＳＢメモリ２へ書込まれた開始日時を含むサービス期間情報ＳＶＣを、ネットワークＮＷを介してデータベースＤＢへ送信する。【０２０５】
これにより、例えば、データベースＤＢの所有者がプロジェクタ１およびＵＳＢメモリ２の所有者以外の者（例えば、販売業者）である場合、当事者間において、無償保証期間の開始日を円滑に共有することが可能となる。【０２０６】
なお、本発明の要旨を逸脱しない範囲で変形例の適用が可能である。【０２０７】
書込部１３は、開始日時と無償保証期間とを含むサービス期間情報ＳＶＣに基づいて当該無償保証期間が経過したことを検出し、該経過後に有償で利用者に提供される保証サービスの開始日時を追加して書込むように構成してもよい。【０２０８】
この場合、製造業者は、ＵＳＢメモリ２を設置場所へ携帯する。そして、プロジェクタ１は、無償保証期間の開始日時の登録と同様の処理を実行して、有償保証期間の開始日時を、記憶部１５およびＵＳＢメモリ２それぞれへ書込む。これにより、利用者および製造業者それぞれにて、無償修理後に提供される有償修理の保証期間の管理も行うことができる。【０２０９】
なお、本発明においては、プロジェクタ１内の処理は上述の専用のハードウェアにより実現されるもの以外に、その機能を実現するためのプログラムをプロジェクタ１にて読取可能な記録媒体に記録し、この記録媒体に記録されたプログラムをプロジェクタ１に読み込ませ、実行するものであってもよい。プロジェクタ１にて読取可能な記録媒体とは、フロッピーディスク（登録商標）、光磁気ディスク、ＤＶＤ、ＣＤなどの移設可能な記録媒体の他、プロジェクタ１に内蔵されたＨＤＤ等を指す。この記録媒体に記録されたプログラムは、例えば、プロジェクタ１が有するメニュー制御部１１（日時表示部）と、比較部１２と、書込部１３と、読出部１８とにて読み込まれ、メニュー制御部１１（日時表示部）と、比較部１２と、書込部１３と、読出部１８との制御によって、上述したものと同様の処理が行われる。【０２１０】
ここで、プロジェクタ１が有するメニュー制御部１１と、比較部１２と、書込部１３と、読出部１８とは、プログラムが記録された記録媒体から読み込まれたプログラムを実行するコンピュータとして動作するものである。【０２１１】
以上、実施形態を参照して本発明を説明したが、本発明は上記実施形態に限定されるものではない。本発明の構成や詳細には、本発明の要旨を逸脱しない範囲で当業者が理解し得る各種の変形が可能である。
【図１】
2010097886.tif 000003
【図２】
2010097886.tif 000004
【図３】
2010097886.tif 000005
【図４】
2010097886.tif 000006
【図５】
2010097886.tif 000007
【図６】
2010097886.tif 000008
【図７】
2010097886.tif 000009
【図８】
2010097886.tif 000010
【図９】
2010097886.tif 000011
【図１０】
2010097886.tif 000012
【図１１】
2010097886.tif 000013
【図１２】
2010097886.tif 000014
【図１３】
2010097886.tif 000015
【図１４】
2010097886.tif 000016
【図１５】
2010097886.tif 000017
【図１６】
2010097886.tif 000018
【図１７】
2010097886.tif 000019
【図１８】
2010097886.tif 000020
【図１９】
2010097886.tif 000021
【図２０】
2010097886.tif 000022
【図２１】
2010097886.tif 000023
【図２２】
2010097886.tif 000024
【図２３】
2010097886.tif 000025
【図２４】
2010097886.tif 000026
【図２５】
2010097886.tif 000027
【図２６】
2010097886.tif 000028
【図２７】
2010097886.tif 000029
【図２８】
2010097886.tif 000030
【国際調査報告】
2010097886.tif 000031
2010097886.tif 000032
2010097886.tif 000033
2010097886.tif 000034